(57)【特許請求の範囲】
【請求項１】
ディジタル・オーディオ・データをマルチトラックで録音し再生する録音再生装置であって、
複数のトラックのそれぞれで、どの時間範囲にオーディオ・データが録音されているかを示すグラフを表示する手段と、
前記グラフ表示中でロケート位置を設定する手段と、
所定の操作に応じて、前記ロケート位置の近傍の波形データを表示する手段と、
表示された前記波形データ中の位置を指定することにより前記ロケート位置を設定変更する手段と、
前記波形データの振幅方向のスケールと時間軸方向のスケールとをそれぞれ指定し、前記設定されたロケート位置近傍の波形データを再表示する手段と
を備えたことを特徴とするマルチトラック・ディジタル録音再生装置。
【発明の詳細な説明】
【０００１】
【発明の属する技術分野】
この発明は、オーディオ・データをディジタルデータとしてマルチトラックでハードディスク装置などの外部記憶装置に録音し再生することができるマルチトラック・ディジタル録音再生装置に関する。
【０００２】
【従来の技術】
従来より、各種のオーディオ・データをディジタルデータとしてハードディスク装置などの外部記憶装置に録音し再生する録音再生装置が知られている。このような録音再生装置では、複数系列の入力オーディオ・データを複数のトラックに録音するマルチトラックのものが知られている。各トラックの録音済み範囲を示すため、従来のものでは、横方向に時間軸を取りそれぞれのトラックの録音済み範囲をバーグラフ的に表示する表示の仕方がされているものがある。各トラックに録音されたオーディオ・データは、所定の操作により再生することができる。
【０００３】
このような録音再生装置では、オーディオ・データを録音する記憶装置の容量に限りがあるため、いわゆるリメイン（ＲＥＭＡＩＮ）表示の機能を備えたものがある。従来のものでは、リメイン表示で、ハードディスク装置などの空き容量を表示していた。
【０００４】
さらに従来の録音再生装置において、録音再生する各トラックは、それぞれ独立に音量レベルの制御などが行なわれていた。
【０００５】
【発明が解決しようとする課題】
従来のものでは、各トラックの録音済み範囲を示す時間に沿ったバーグラフ的な表示を行なうだけであり、そこにどのような波形が記録されているのかは分からなかった。再生して試聴するのでは、判断しきれない場合もある。
【０００６】
また従来のリメイン表示では単に記憶デバイスの空き具合を表示するだけであり、その空き容量で、かつ現在の録音トラックの設定状態で、あとどれくらいの録音が可能なのかが分からなかった。
【０００７】
さらに、各トラックのレベル制御は、独立に制御しているので、例えばステレオやマルチマイク録音した複数のトラックを一括制御したい、といった要求に応えることができなかった。
【０００８】
この発明は、上述の従来技術における問題点に鑑み、ディジタル・ミキサとマルチトラックのディジタル・レコーダとを組み合わせたものにおいて、波形レベルでの録音状態の確認と位置の設定を行なえるようにすることを目的とする。
【０００９】
【課題を解決するための手段】
この目的を達成するため、請求項１に係る発明は、ディジタル・オーディオ・データをマルチトラックで録音し再生する録音再生装置であって、複数のトラックのそれぞれで、どの時間範囲にオーディオ・データが録音されているかを示すグラフを表示する手段と、前記グラフ表示中でロケート位置を設定する手段と、所定の操作に応じて、前記ロケート位置の近傍の波形データを表示する手段と、表示された前記波形データ中の位置を指定することにより前記ロケート位置を設定変更する手段と、前記波形データの振幅方向のスケールと時間軸方向のスケールとをそれぞれ指定し、前記設定されたロケート位置近傍の波形データを再表示する手段とを備えたことを特徴とする。
【００１２】
【発明の実施の形態】
以下、図面を用いてこの発明の実施の形態を説明する。
【００１３】
図１は、この発明の実施の形態に係るマルチトラック・ディジタル録音再生装置のシステム構成を示す。この録音再生装置は、中央処理装置（ＣＰＵ）１０１、ＲＯＭ（リード・オンリ・メモリ）／ＲＡＭ（ランダム・アクセス・メモリ）１０２、ハードディスク装置（ＨＤ）１０３、操作子／表示部１０４、アナログ・ディジタル変換器（ＡＤＣ）１０５、オーディオ入力端子群１０６、ディジタル・アナログ変換器（ＤＡＣ）１０７、オーディオ出力端子群１０８、ディジタル・シグナル・プロセッサ（ＤＳＰ）１０９、ＣＤ−Ｒ（Ｃｏｍｐａｃｔ  Ｄｉｓｃ−Ｒｅｃｏｒｄａｂｌｅ）１１０、外部インターフェース（Ｉ／Ｆ）１１１、Ｉ／Ｆコネクタ群１１２、およびシステムバス１１３を備えている。
【００１４】
ＣＰＵ１０１は、この装置全体の動作を制御する処理装置である。ＲＯＭ／ＲＡＭ１０２は、ＣＰＵ１０１が実行する各種のプログラムを格納したりワーク領域に使用する記憶装置である。ＨＤ１０３は、ＣＰＵ１０１が実行するプログラムや使用する各種のデータ、およびディジタル・オーディオ・データの録音を行なう領域を確保する記憶装置である。操作子／表示部１０４は、この装置の外部パネル上に設けられたユーザが操作するための各種の操作子、および各種の情報を表示するためのディスプレイ装置である。
【００１５】
ＡＤＣ１０５は、オーディオ入力端子群１０６を介して入力したアナログ・オーディオ信号をディジタル信号に変換するアナログ・ディジタル変換器である。ＤＡＣ１０７は、システムバス１１３を介して入力したディジタル・オーディオ信号をアナログ信号に変換し、オーディオ出力端子群１０８に出力するディジタル・アナログ変換器である。
【００１６】
ＤＳＰ１０９は、ＣＰＵ１０１の指示に基づき、各種のマイクロプログラムを実行し、ディジタル・オーディオ信号のミキシング、効果付与処理、および音量レベル制御処理などを行なう。ＣＤ−Ｒ１１０は、ＨＤ１０３に録音したディジタル・オーディオ・データをコンパクト・ディスクに焼き込むための装置である。外部Ｉ／Ｆ１１１およびＩ／Ｆコネクタ群１１２は、外部のＭＩＤＩ（Ｍｕｓｉｃａｌ  Ｉｎｓｔｒｕｍｅｎｔｓ  Ｄｉｇｉｔａｌ  Ｉｎｔｅｒｆａｃｅ）機器や、ＳＣＳＩ（Ｓｍａｌｌ  Ｃｏｍｐｕｔｅｒ  Ｓｙｓｔｅｍ  Ｉｎｔｅｒｆａｃｅ）機器などを接続するためのインタフェースである。
【００１７】
図２は、この実施の形態の録音再生装置のパネル外観図（図１の操作子／表示部１０４の外観）を示す。２０１は表示部であり、図では後述するトラック・ビュー画面を表示したところを示している。表示部２０１の下側に、シフトキー２１０、Ｆ１キー２１１、Ｆ２キー２１２、Ｆ３キー２１３、Ｆ４キー２１４、およびＦ５キー２１５が設けられている。２２１は、表示部２０１に表示されるカーソルを移動するためのカーソル移動キーである。２２２は各種のパラメータの設定値の変更やリストの選択を行なうためのデータ／ジョグダイヤルである。２２３はエンターキーである。
【００１８】
この装置は、１６トラックのマルチトラック（各トラックは、トラック１〜トラック１６と呼ぶ）で録音再生を行なうことができる。信号処理は、基本的にＤＳＰ１０９による。各トラックには、バーチャル・トラック（以下、ＶＴと略す）が８本用意されている。ＶＴとは、対応するトラックの録音再生を行なうときに、そのトラックに割り当てて実際に使用する記憶領域である。例えば、トラック１に録音する際、はじめにＶＴ１に録音し、次に（ＶＴ１のデータはそのままにして）ＶＴ２に録音し、どちらでも所望のＶＴをトラック１として再生したり、ＶＴ１の録音データとＶＴ２の録音データとをミキシングしてＶＴ３に録音し、そのＶＴ３のデータをトラック１として再生したりすることができる。すなわち、８本あるＶＴ１〜８のうち、選択された１本のＶＴがそのトラックの録音再生に使用される。
【００１９】
図２の２３１は、トラック１（ＴＲ１）に関する操作子である。２３２はトラック１に関する各種パラメータの設定を行なう際に使用するＳＥＬキー、２３３はトラック１をオンするか否かを指定するためのＯＮキー、２３４はトラック１についての音量レベル制御に使用するフェーダ（スライドボリューム形式の操作子）である。同様にして、トラック２（ＴＲ２）〜トラック１６（ＴＲ１６）まで、同様の操作子が設けられている。２４１は、全体のステレオ２ｃｈの出力に関する制御を行なうための操作子セットである。ＲＥＷキー２５１、ＦＦキー２５２、ＰＬＡＹキー２５３、ＲＥＣキー２５４、ＰＡＵＳＥキー２５５、およびＳＴＯＰキー２５６は、それぞれ、巻き戻し、早送り、再生、録音、一時停止、および動作中止を指示するキーである。
【００２０】
２６３は録音するトラックを選択するための録音トラックスイッチである。「１」〜「１６」と印刷された各スイッチをオンすることにより、そのトラック番号のトラックが録音可能状態となる。
【００２１】
図３は、１６個の各トラックの状態を示し、かつその設定を行なうトラック・ビュー初期画面を示す。３０１に示す「Ｔ」の表示の下に１６個ある各トラックのナンバーを「１」〜「１６」で表示してある。「ＮＡＭＥ」は、各トラックに付けた名称を表示する領域である。この名称の変更は、任意に行なうことができる。その右側の領域３０２に、各トラックの録音状態をバーグラフで示す。バーグラフは、横方向を時間軸の方向とし、録音されている範囲を帯状のグラフで示すものである。図４の４０２に、バーグラフの表示例を示す。この表示例では、トラック１およびトラック２に部分的に録音がなされ、トラック３〜８に（表示した時間軸の範囲内に）録音データが存在することを示している。図３の３０２は初期状態であり、どのトラックも録音がなされていない状態であるので、空白になっている。
【００２２】
３０３は、現在設定されているロケート位置を示す。ロケート位置とは、曲の先頭を０とした時間軸上の位置であり、録音するときはその位置から録音がなされ、再生するときはその位置から再生がなされるものである。ロケート位置は、時間：分：秒のように表示される。図３では、初期画面であるので、先頭位置である００：００：００．０００と表示されている。秒は、小数点以下３桁まで表示される。
【００２３】
図３のようなトラック・ビュー初期画面の初期状態から、各トラックの録音を実行し、ハードディスク装置１０３にディジタル・オーディオ・データを録音していく。この際、ハードディスク装置１０３の記憶容量には限界があるので、本装置では、どれくらいの空き容量があるのかを表示する機能を有している。特に本装置では、単に記憶装置の空き容量を表示するだけでなく、その時点で録音指定されたトラックの数に応じた残り録音可能時間を計算して表示する。これにより実際の録音状態に即した管理が可能となる。
【００２４】
トラック・ビュー画面から所定の操作（ここでは、シフトキー＋Ｆ１キーの押下）を行なうと、図３のロケート表示３０３が、リメイン（残り時間）表示に切り替わる。図４の４０３は、トラック・ビュー画面の残り時間表示の例である。図４の残り時間表示４０３は、いま録音指定されているトラック数に応じた録音可能時間が１３分７秒分あることを示している。各トラックの録音指定は、録音トラックスイッチ２６３の押下による。
【００２５】
図５は、トラック・ビュー画面のウェーブ（波形）表示画面を示す。図３や図４に示したトラック・ビュー画面において、所定の操作（ここではＦ２キーの押下とする）を行なうと、図５の５０１に示すようなウェーブ表示画面がポップアップ表示される。ウェーブ表示画面５０１は、現在のロケート位置を中心とした前後の楽音波形を表示するものである。Ｆ２キーを押下する前にトラック・ビュー画面で何れかのトラックを選択してあるものとし、その選択されたトラックについて、ウェーブ表示画面５０１で波形が表示される。
【００２６】
５０２は現在のロケート位置の表示である。５０３に示す上向き矢印と下向き矢印は、表示している波形の縦（振幅）方向の拡大縮小表示を行なうためのボタンである。カーソル移動キー２２１を用いて上向き矢印にカーソルを合わせてエンターキー２２３を押すと、表示されている波形は縦方向に拡大して表示される。また、カーソルを下向き矢印に合わせてエンターキー２２３を押すと、表示されている波形は縦方向に縮小して表示される。５０４は、時間軸方向（横軸）の拡大縮小を行なうためのボタンである。カーソル移動キー２２１を用いて右矢印にカーソルを合わせエンターキー２２３を押すと、表示されている波形は横方向に拡大して表示される。また、カーソルを左矢印に合わせてエンターキー２２３を押すと、表示されている波形は横方向に縮小して表示される。ウェーブ表示画面５０１を消すときは、ＥＸＩＴキー５０５にカーソルを合わせてエンターキー２２３を押す。
【００２７】
図５のようなウェーブ表示画面５０１によれば、ロケート位置の波形をモニタすることができる。すなわち、ロケート位置付近の録音状態を波形レベルで確認することが可能となる。さらに、ウェーブ表示画面５０１において、波形レベルで確認しながら、ロケート位置をセットすることができる。ロケート位置のセットは、ロケートボタン５０６をオンすることにより行なう。
【００２８】
図６に、バーチャル・トラック表示画面を示す。トラック・ビュー画面からは下側のタブの部分６０５をカーソルで選択し、エンターキー２２３を押すことにより、図６のようなバーチャル・トラック表示画面を表示することができる。６０１に示す「Ｔ」および「ＮＡＭＥ」の表示の下側に、トラックナンバ「１」〜「１６」とそのトラックネームが表示されている。その右側の「ＶＩＲＴＵＡＬＴＲＡＣＫ」の表示６０２の下側には、各トラックの８つのバーチャルトラック（ＶＴ）のナンバが「１」〜「８」と表示され、現在割り当てられているＶＴの部分が反転表示（図では白抜き表示）されている。
【００２９】
特に、本装置では、奇数番号と偶数番号のトラックとでペアリングが可能である。ペアリングすることにより、共通の一つのフェーダでペアリングした２つのトラックのレベル制御をまとめて行なうことができるようになる。６０３はトラック１および２がペアリングされていることを示すハートのマークである。６０４はトラック３と４とがペアリングしていないことを示すハートが破れたマークである。ペアリングの設定および解除は、対象のトラックの部分にカーソルを合わせて所定のキー操作を行なうことによる。
【００３０】
図７に、本装置におけるフェーダ（図２の２３４など）によるレベル制御の概念図を示す。図７（ａ）は、録音時の概念図である。トラック１（７１３）について述べると、トラック１に対する入力信号（ＴＲＡＣＫ  ＩＮ１）に対し、７１１に示すフェーダ１（ＴＲＡＣＫ  ＦＡＤＥＲ１：図２の２３４に相当）の操作値を取得し、乗算器７１２でそれらを乗算することにより、入力信号のレベル制御を行なう。レベル制御された入力信号は、トラック１の割り当てられているＶＴ（ここではＶＴ１）に録音される。他のトラックに対しても同様である。各トラックのレベル制御は、独立してそれぞれのフェーダにより行なわれるものである。
【００３１】
図７（ｂ）は、再生時の概念図を示す。トラック１（７２１）について述べると、トラック１に割り当てられているＶＴ（ここではＶＴ１）から読み出された出力信号に対し、７２２に示すフェーダ１（ＴＲＡＣＫ  ＦＡＤＥＲ１：図２の２３４に相当）の操作値を取得し、乗算器７２３でそれらを乗算することにより、出力信号のレベル制御を行なう。レベル制御された出力信号は、トラックの出力ＴＲＡＣＫ  ＯＵＴ１として出力される。他のトラックについても同様である。各トラックのレベル制御は、独立してそれぞれのフェーダにより行なわれるものである。
【００３２】
図７（ｃ）は、ペアリング時の概念図である。いまトラック１とトラック２とがペアリングされているものとする。トラック１の入力ＴＲＡＣＫ  ＩＮ１に対してフェーダ１（７３１）の操作値に応じて、乗算器７３２でレベル制御し、その結果がトラック１（７３４）の所定のバーチャルトラックに録音される。同様に、トラック２についても同じフェーダ１（７３１）の操作値に応じて、乗算器７３３でレベル制御し、トラック２（７３５）の所定のバーチャルトラックに録音される。
【００３３】
図８は、図４で説明したリメイン表示を行なうときのリメイン表示処理ルーチンを示す。ステップ８０１で、リメイン表示操作イベントがあるか否か判定する。ここでは、トラック・ビュー画面においてシフト＋Ｆ１キーが押下されたとき、リメイン表示操作イベントがあったものと判定する。リメイン表示操作イベントがあったときは、ステップ８０２で、録音可能時間（分）の計算を行なう。以下に、その計算式を示す。
Ｔ＝［［Ｃ×１３１０７２／Ｂ］／ＴＲＫ］／［ｆｓ×６０］
ただし、
選択されているサンプリング周波数：ｆｓ（Ｈｚ）
ＨＤの空きクラスタ数：Ｃ（１Ｃ＝１３１０７２バイト）
録音ビット長定数：Ｂ＝２  ただし１６ビット録音のとき
【００３４】
Ｂ＝３  ただし２４ビット録音のとき
録音指定トラック数：ＴＲＫ
とする。
【００３５】
ステップ８０２の後、ステップ８０３で録音可能時間Ｔを表示し、リターンする。ステップ８０１でリメイン表示操作イベントがないときは、そのままリターンする。
【００３６】
上記の式では、Ｃ×１３１０７２でＨＤの空きバイト数を求め、これをＢで割ってＨＤの空き部分に格納可能なサンプル数を求め、そのサンプル数を録音指定トラック数ＴＲＫで割って１トラック当たりの格納可能サンプル数を求め、それを１分間当たりのサンプル数［ｆｓ×６０］で割ることにより、録音可能時間を分単位で求めているものである。
【００３７】
図９は、図５で説明したウェーブ表示処理ルーチンを示す。ステップ９０１で、ウェーブ表示指示イベントがあるか否か判定する。これは、上述したように、トラック・ビュー画面においてＦ２キーの押下があったか否かを判定するものである。ウェーブ表示指示イベントがあるときは、ステップ９０２で、ロケート位置すなわち時間位置情報ＬＯＣＡＴＥに対応した時間位置を中心とし、時間軸スケールファクタＴＩＭＥに応じた時間範囲の、選択トラックの波形を表示する。振幅は、振幅スケールファクタＡＭＰに対応させる。ステップ９０２の後、あるいはステップ９０１でウェーブ表示指示イベントがないときは、リターンする。
【００３８】
図１０は、図６で説明したトラック・ペアリング処理ルーチンを示す。ステップ１００１で、バーチャル・トラック表示モードであるか否か判定する。バーチャル・トラック表示モードでないときはそのままリターンする。バーチャル・トラック表示モードであるときは、ステップ１００２で、ＶＴ選択処理を行なう。これはカーソル移動を受け付けて、各トラックのＶＴを選択するものである。次にステップ１００３で、ペアリング指示イベントがあるか否か判定する。ペアリング指示イベントがあったときは、ステップ１００４で、選択ＶＴの対応トラックナンバｎが奇数か否か判定する。奇数であるときは、ステップ１００５で、トラックｎとトラックｎ＋１がすでにペアリング設定されているか否かを判定する。ペアリング設定されているときは、ステップ１００６で、トラックｎとトラックｎ＋１のペアリング設定を解除し、リターンする。ステップ１００５でペアリング設定されていなかったときは、ステップ１００７で、トラックｎとトラックｎ＋１のペアリング設定を行ない、リターンする。ステップ１００４で選択バーチャルトラックの対応トラックナンバｎが奇数でないときは、ステップ１００８で、トラックｎ−１とトラックｎとがすでにペアリング設定済みであるか否か判定する。ペアリング設定済みであるときは、ステップ１００９で、トラックｎ−１とトラックｎとのペアリング設定を解除し、リターンする。ステップ１００８でペアリング設定済みでないときは、ステップ１０１０で、トラックｎ−１とトラックｎとのペアリング設定を行ない、リターンする。
【００３９】
以上により、ペアリングの設定解除を行なうことができる。ペアリングが設定されたトラックは、図７（ｃ）で説明したように、１つのフェーダでレベル制御することができるようになる。なお、本実施の形態では、ペアリングで説明したが、２つをペアにするだけでなく、３つ以上の任意の数のトラックでグループを構成し、そのグループのトラックのレベル制御を１つのフェーダで行なうようにしてもよい。
【００４０】
【発明の効果】
以上説明したように、この発明によれば、複数トラックでどの時間範囲にオーディオ・データが録音されているかを示すグラフを表示している際に所定の操作によりロケート位置近傍の波形を表示するので、波形レベルでの録音状態の確認を行なうことができ、さらにその波形表示画面でロケート位置を指定できるので、波形レベルで確認しながらロケート位置をセットすることができる。
【図面の簡単な説明】
【図１】この発明の実施の形態に係るマルチトラック・ディジタル録音再生装置のシステム構成図
【図２】録音再生装置のパネル外観図
【図３】１６個の各トラックの状態を示すトラック・ビュー初期画面図
【図４】残り時間表示の例を示す図
【図５】トラック・ビュー画面のウェーブ表示画面を示す図
【図６】バーチャル・トラック表示画面を示す図
【図７】フェーダによるレベル制御の概念図
【図８】リメイン表示処理ルーチンのフローチャート図
【図９】ウェーブ表示処理ルーチンのフローチャート図
【図１０】トラック・ペアリング処理ルーチンのフローチャート図
【符号の説明】
１０１…中央処理装置（ＣＰＵ）、１０２…ＲＯＭ（リード・オンリ・メモリ）／ＲＡＭ（ランダム・アクセス・メモリ）、１０３…ハードディスク装置（ＨＤ）、１０４…操作子／表示部、１０５…アナログ・ディジタル変換器（ＡＤＣ）、１０６…オーディオ入力端子群、１０７…ディジタル・アナログ変換器（ＤＡＣ）、１０８…オーディオ出力端子群、１０９…ディジタル・シグナル・プロセッサ（ＤＳＰ）、１１０…ＣＤ−Ｒ（Ｃｏｍｐａｃｔ  Ｄｉｓｃ−Ｒｅｃｏｒｄａｂｌｅ）、１１１…外部インターフェース（Ｉ／Ｆ）、１１２…Ｉ／Ｆコネクタ群、１１３…システムバス。
【図１】
0003565150.tif 000002
【図２】
0003565150.tif 000003
【図３】
0003565150.tif 000004
【図４】
0003565150.tif 000005
【図５】
0003565150.tif 000006
【図６】
0003565150.tif 000007
【図７】
0003565150.tif 000008
【図８】
0003565150.tif 000009
【図９】
0003565150.tif 000010
【図１０】
0003565150.tif 000011